(57)【特許請求の範囲】
【請求項１】
笠の裏面にピンをセメントにより固着した懸垂がいしにおいて、ピンの周囲のセメント表面に、ピンの外周面と笠の内面とを導通させる導体リングを、途中まで埋設したことを特徴とする懸垂がいし。
【請求項２】
導体リングが、コイル状導線をリング状に丸めたものであり、セメント表面に途中まで埋設されたものである請求項１に記載の懸垂がいし。
【請求項３】
導体リングが、亜鉛製のものである請求項１または２に記載の懸垂がいし。
【発明の詳細な説明】
【０００１】
【発明の属する技術分野】
本発明は、ピンの電食を防止した懸垂がいしに関するものである。
【０００２】
【従来の技術】
送電用の懸垂がいしは、図３に示すように磁器製の笠１の裏面に鋼製のピン２をセメント３により固着した構造を持つものであるが、特に直流送電用に用いられてピン２が正極性に課電された場合には、ピン２が著しい電食を受けることが知られている。この電食は、ピン２の表面からセメント３の表面を通じて笠１に電流が流れる際に、ピン２の表面の鉄がイオン化して溶出することにより発生する。また交流送電用に用いた場合であっても、汚損地区ではセメント３の表面に漏洩電流が流れ易いため、ピン２の電食が問題となっている。
【０００３】
そこで従来から、図４に示すように電食犠牲電極としての亜鉛スリーブ４をセメント３の表面付近のピン２の外周に設けることにより、電食が亜鉛スリーブ４の表面で起こるようにし、ピン２の電食を防止することが行われている。このような構造とすれば、鉄の代わりに亜鉛が溶出するため、ピン２がやせ細って強度低下を来すことがない。従って亜鉛スリーブ４はセメント３の表面を流れる電流に対しては効果的である。
【０００４】
ところが、降雨などによりセメント３が湿潤した後、セメント３の表面だけが乾燥した状態となると、電流はピン２からセメント３の内部を通って笠１に流れることがある。亜鉛スリーブ４はこのようにセメント３の内部を流れる電流には無力であり、特にセメント３の内部を流れると、漏洩電流によりセメント内ピン金具を電食させるのみならず、電食により生じた錆が、がいし内部に大きい内在応力を発生させてがいし破損の原因となることがある。また、落雷時のがいし沿面フラッシオーバにより、がいしのピン部のセメント３の内部へ電流が侵入する経路をたどる場合、セメント３内に存在する空気が急激に膨張し、その内圧により磁器が破損することがある。
【０００５】
そこで図５に示すように、ピン２に拡大スリーブ５を形成することにより、電食によるやせ細りの影響を緩和するとともに、ピン２と笠１との距離を接近させてセメント３の内部に電流を流れにくくした防爆型の懸垂がいしも開発されている。ところがこのような拡大スリーブ５を持つピン２は、製造コストが高くなるうえに、がいし製造工程において組み立てが行いにくい（笠１の裏面の空洞部にピン２を差し込みにくく、また拡大スリーブ５の裏面にセメント３を均一充填させにくい）という欠点がある。
【０００６】
このほか、ピン２の全体をエポキシ樹脂等の絶縁材でコーティングすることによりセメント３の内部に電流を流れにくくした懸垂がいしも開発されているが、やはり製造コストが高くなるという問題がある。
【０００７】
【発明が解決しようとする課題】
本発明は上記した従来の問題点を解決し、ピンの電食およびがいし頭部の破壊を確実に防止することができ、しかも組み立てが容易で安価に製造できる懸垂がいしを提供するためになされたものである。
【０００８】
【課題を解決するための手段】
上記の課題を解決するためになされた本発明は、笠の裏面にピンをセメントにより固着した懸垂がいしにおいて、ピンの周囲のセメント表面に、ピンの外周面と笠の内面とを導通させる導体リングを、途中まで埋設したことを特徴とするものである。なお導体リングが、コイル状導線をリング状に丸めたものであり、セメント表面に途中まで埋設されたものであることが好ましい。
【０００９】
本発明の懸垂がいしは、ピンの周囲のセメント表面にピンの外周面と笠の内面とを導通させる導体リングを埋設したものであるので、ピンから笠に向かって流れる電流のほとんどはこの導体リングを通じて流れる。このためピンが電食されることがなくなるとともに、セメント内部に電流が流れることも防止されるので、がいし頭部の破壊も防止される。またこの導体リングはピンとは別体のものであるから、製造コストの上昇は軽微であるうえ、組み立て時にはピンの位置決め手段としても機能するので、組み立ても容易になるという利点がある。
【００１０】
【発明の実施の形態】
以下に本発明の好ましい実施形態を示す。
図１において、１は懸垂がいしの磁器製の笠、２は笠１の裏面の空洞部にセメント３により固着された鋼鉄製のピンである。ピン２の表面には耐食性の亜鉛メッキが施されている。以上の構成は従来の懸垂がいしと同様であるが、本発明ではセメント３の表面に、ピン２の周囲を取り囲むように導体リング１０が埋設されている。
【００１１】
この導体リング１０は好ましくは亜鉛製のものであり、その内径および外径は、図１に示すようにピン２の外周面と笠１の内面とにほぼ接触してこれらの間を導通させるサイズであることが好ましい。またこの導体リング１０は図１に示すようにセメント３に途中まで埋設させることにより、セメント３に確実に保持させておくことが好ましい。なお導体リング１０の材質として亜鉛を用いることが好ましいのは、亜鉛がピン２の鉄よりも常に陽極性であり、また腐食による異常な膨張がないため、セメント３を押し割ることがないためである。
【００１２】
この実施形態では、導体リング１０は亜鉛製のコイル状導線をリング状に丸めたものである。このような構造としておけば、適度の弾性を持たせることができるので、ピン２の外周面と笠１の内面との間に埋設し易い。また各線の間に適度の隙間があるので、未硬化のセメント３の内部に押し込み易く、セメント３に確実に保持させることができる。しかし導体リング１０は必ずしもコイル状導線からなるものに限定されるものではなく、セメント３に確実に保持させることができる突起等を備えたものであれば、板状であっても差し支えない。
【００１３】
なお一般に懸垂がいしの組み立ての際には、笠１の上下を反転させて空洞部内にセメント３を注入し、セメント３が未硬化のうちにその中心にピン２を挿入して硬化させるのであるが、本発明ではピン２の周囲に導体リング１０を装入した状態でセメント３を硬化させることとなる。このとき、ピン２自体は拡大部を持たないうえ、導体リング１０がピン２を空洞部の中心に保持する位置決め部材としても機能するため、組み立てが容易となる利点がある。
【００１４】
このように構成された本発明の懸垂がいしは、直流送電用に用いてピン２が正極性に課電された場合や、汚損地区で使用された場合にも、ピン２の周囲に埋設された導体リング１０を通じて笠１に電流が流れるため、ピン２の電食が防止され、ピン２の強度低下のおそれがない。
【００１５】
また降雨などによりセメント３の内部が湿潤したような場合にも、導体リング１０の抵抗の方がセメント３の内部抵抗よりもはるかに小さいため、セメント３の内部に電流が流れることがない。このためセメント３の内部を通じて笠１とピン２との間を流れることもなくなり、がいし頭部が破壊されることもない。さらに、落雷時のがいし沿面フラッシオーバの経路をたどる場合においても、セメント３内に電流が流れることもなくなり、磁器が破損することもない。
【００１６】
【発明の効果】
以上に説明したように、本発明の懸垂がいしは、ピンの周囲のセメント表面にピンの外周面と笠の内面とを導通させる導体リングを途中まで埋設した構造とすることにより、ピンと笠との間を導通させ、ピンの電食を防止するとともに、セメント内部に電流が流れることによるがいし頭部の破壊をも確実に防止することができる。更に本発明の懸垂がいしは組み立てが容易であるうえ、ピンには特別な加工を要しないため、製造コストの上昇もほとんどない等の多くの利点を有するものである。本発明の懸垂がいしは特に直流送電用に適したものであるが、汚損地区における交流送電用にも好ましいものである。
【図面の簡単な説明】
【図１】本発明の実施形態を示す部分断面図である。
【図２】実施形態における導体リングの平面図である。
【図３】一般的な懸垂がいしを示す部分断面図である。
【図４】ピンの外周に亜鉛スリーブを備えた従来の懸垂がいしを示す部分断面図である。
【図５】ピンの外周に拡大スリーブを備えた従来の懸垂がいしを示す部分断面図である。
【符号の説明】
１ 笠、２ ピン、３ セメント、４ 亜鉛スリーブ、５ 拡大スリーブ、１０ 導体リング
【図１】
0004360586.tif 000002
【図２】
0004360586.tif 000003
【図３】
0004360586.tif 000004
【図４】
0004360586.tif 000005
【図５】
0004360586.tif 000006